(57)【特許請求の範囲】
【請求項１】
２つの空間の境界に設けられ矩形状に枠組みされた枠体と、
前記枠体にて形成される開口を閉塞可能に設けられる障子と、を有する建具であって、
前記枠体が有する縦枠は、閉じられた前記障子の、前記２つの空間のうちの一方の空間側にて、上下方向に沿って前記開口の内周側に突出して止水する縦止水部を有し、
前記枠体が有する下枠には、前記一方の空間側から前記障子に当接される下シール部と、前記下シール部より前記一方の空間側にて上方に立ち上がった水返し部と、前記下シール部と前記水返し部とを連結し前記一方の空間側の床材の端部を覆う床材覆い部の上に位置して平坦な面を形成する連結部と、を有する下枠シール材が設けられており、
前記縦止水部の下端が前記下枠シール材の前記連結部上に当接され、
前記水返し部は前記縦止水部の下端より前記一方の空間側にて立ち上がっていることを特徴とする建具。
【請求項２】
請求項１に記載の建具であって、
前記下枠シール材の見付け方向の端部は、前記縦枠の前記縦止水部の下にて前記縦枠に当接されていることを特徴とする建具。
【請求項３】
請求項１または請求項２に記載の建具であって、
前記縦止水部は、前記縦枠と前記障子との間から一方の空間への水の進入を防止するヒレであることを特徴とする建具。
【請求項４】
請求項１または請求項２に記載の建具であって、
前記縦止水部は、前記縦枠と前記障子との間から一方の空間への水の進入を防止するヒレに設けられた止水部材であり、前記障子に当接されていることを特徴とする建具。
【請求項５】
請求項１乃至請求項４のいずれかに記載の建具であって、
前記連結部の下面には嵌合部が形成されており、
前記下枠には、前記下枠シール材の前記嵌合部が嵌合される嵌合溝が、上方に開放されて形成されていることを特徴とする建具。
【発明の詳細な説明】
【技術分野】
【０００１】
本発明は、枠組みされた枠体にて形成される開口を閉塞可能な障子を有する建具に関する。
【背景技術】
【０００２】
枠組みされた枠体にて形成される開口を閉塞可能な障子を有する建具としては、例えば、出入口開口部を構成する折戸枠と、折戸枠に回動自在に支持された扉体とで構成されている浴室折戸が知られている（例えば、特許文献１参照）。この浴室折戸は、折戸枠が下枠と縦枠とを有しており、縦枠に設けられ開口の内側に延びる縦シール装着部には縦框に密着する縦シール部材が装着されている。また、下枠の脱衣室側には、扉体下端に密接する下枠シール部材と、下枠シール部材の脱衣室側に間隔を隔てて設けられた、下枠シール部材とは別部材である水返し部材とが設けられている。
【先行技術文献】
【特許文献】
【０００３】
【特許文献１】特開２００５−２０７０７９号公報
【発明の概要】
【発明が解決しようとする課題】
【０００４】
上記のような浴室折戸は、下枠と扉体との間をシールする下枠シール部材と、脱衣室側への水の浸入を防止する水返し部材とが各々下枠に取り付けられている。このため、縦枠と下枠との接合部に位置する下枠シール部材及び水返し部材の端部と、縦枠に設けられた縦シール部材の端部との間を、容易にかつより確実にシールすることが望まれている。
【０００５】
本発明は、かかる課題に鑑みてなされたものであり、その目的とするところは、縦枠と下枠との接合部を、容易にかつより確実にシールすることが可能な建具を提供することにある。
【課題を解決するための手段】
【０００６】
かかる目的を達成するために本発明の建具は、２つの空間の境界に設けられ矩形状に枠組みされた枠体と、前記枠体にて形成される開口を閉塞可能に設けられる障子と、を有する建具であって、前記枠体が有する縦枠は、閉じられた前記障子の、前記２つの空間のうちの一方の空間側にて、上下方向に沿って前記開口の内周側に突出して止水する縦止水部を有し、前記枠体が有する下枠には、前記一方の空間側から前記障子に当接される下シール部と、前記下シール部より前記一方の空間側にて上方に立ち上がった水返し部と、前記下シール部と前記水返し部とを連結し前記一方の空間側の床材の端部を覆う床材覆い部の上に位置して平坦な面を形成する連結部と、を有する下枠シール材が設けられており、前記縦止水部の下端が前記下枠シール材の前記連結部上に当接され、  前記水返し部は前記縦止水部の下端より前記一方の空間側にて立ち上がっていることを特徴とする建具である。
【０００７】
このような建具によれば、下枠に設けられた下枠シール材は、下シール部と、下シール部の一方の空間側に設けられる水返し部とが連結部にて連結されているので、取り付けが容易である。また、下レール部と水返し部との間に位置する連結部上に縦止水部が当接されるので、縦止水部に沿って流れる水を、水返し部より他方側に確実に流すことが可能である。このため、縦枠と下枠との接合部を、容易にかつより確実にシールすることが可能である。
【０００８】
かかる建具であって、前記下枠シール材の見付け方向の端部は、前記縦枠の前記縦止水部の下にて前記縦枠に当接されていることが望ましい。  
このような建具によれば、下枠シール材の見付け方向の端部が、縦枠に当接されているので、下枠シール材と縦枠との間をより確実にシールすることが可能である。また、下枠シール材は縦止水部の下にて縦枠に当接されているので、縦枠と下枠との接合部をより確実にシールすることが可能である。
【０００９】
かかる建具であって、前記縦止水部は、前記縦枠と前記障子との間から前記一方の空間への水の進入を防止するヒレであることが望ましい。  
このような建具によれば、縦枠に設けられたヒレにより、縦枠と前記障子との間から前記一方の空間への水の進入を防止するとともに、縦枠のヒレが下枠シール材の連結部上に当接されるので、縦枠のヒレの下端からの水の浸入を防止することが可能である。
【００１０】
かかる建具であって、前記縦止水部は、前記縦枠と前記障子との間から一方の空間への水の進入を防止するヒレに設けられた止水部材であり、前記障子に当接されていることが望ましい。
このような建具によれば、縦枠に設けられた止水部材により、縦枠と前記障子との間から前記一方の空間への水の進入をより確実に防止するとともに、縦枠の止水部材が下枠シール材の連結部上に当接されるので、止水部材の下端からの水の浸入を防止することが可能である。
【００１１】
かかる建具であって、前記連結部の下面には嵌合部が形成されており、前記下枠には、前記下枠シール材の前記嵌合部が嵌合される嵌合溝が、上方に開放されて形成されていることが望ましい。  
このような建具によれば、下枠シール材の連結部の下面に設けられた嵌合部が、下枠シール材の下に位置する下枠の嵌合溝に嵌合されて取り付けられているので、下枠に設けられた下枠シール材が踏まれたとしても、下枠シール材が外れることはない。このため、より信頼性の高いシール性を備えた建具を提供することが可能である。
【発明の効果】
【００１２】
本発明によれば、縦枠と下枠との接合部を、容易にかつより確実にシールすることが可能な建具を提供することが可能である。
【図面の簡単な説明】
【００１３】
【図１】本実施形態に係る浴室建具の横断面図である。
【図２】本実施形態に係る浴室建具の出入口側における縦断面図である。
【図３】本実施形態に係る浴室建具の壁部側における縦断面図である。
【図４】下枠シール材と縦シール材との当接部を脱衣室側から見た斜視図である。
【図５】下枠シール材と縦シール材との当接部を浴室側から見た斜視図である。
【発明を実施するための形態】
【００１４】
以下、本発明の一実施形態に係る建具について図面を参照して説明する。  
本実施形態の建具は、２つの空間である浴室と脱衣室との境界に設けられる浴室建具１であり、例えば、図１に示すように、一方の空間側となる脱衣室側から見て縦骨２０の左側の領域が閉止可能な開口でなる出入口２をなし、右側の領域が壁部３をなして、壁部３の脱衣室側を見付け方向に沿って移動する障子５が、前記出入口２を開閉可能に構成された引き込み戸タイプの建具である。
【００１５】
以下の説明においては、建物等に取り付けられた状態の浴室建具１を浴室外側、すなわち脱衣室側から見たときに、上下となる方向を上下方向、左右となる方向を左右方向または見付け方向、浴室内外方向である奥行き方向を見込み方向として示す。また、浴室建具１が備える各部材は、単体の状態であっても建物等に取り付けられた状態にて奥行き方向、左右方向、上下方向となる方向にて方向を特定して説明する。
【００１６】
浴室建具１は、浴室内外の境界に設けられる枠体１０と、枠体１０の脱衣室側の部位にて見付け方向に移動可能に設けられ、枠体１０における見付け方向の約半分の領域を開閉自在に設けられた障子５と、壁部３側の枠体１０の内周側に設けられる壁面材２１と、を有している。
【００１７】
枠体１０は、アルミニウム製の押出成形部材でなり、図１〜図３に示すように、左右の縦枠１１、１２、上下の横枠１３、１４、及び、左右の縦枠１１、１２のほぼ中央に設けられた縦骨２０と、を有している。縦骨２０は、見込み方向において左の縦枠１１の幅のほぼ半分の幅を有し、浴室内側に設けられており、右の縦枠１２は障子５より脱衣室側にて額縁３３と接合されており、浴室側の部位が、縦骨２０の脱衣室側のほぼ半分の部位と対向している。すなわち、縦骨２０の脱衣室側の部位と右側の縦枠１２の浴室側の部位とは、見込み方向における中央近傍にて、見付け方向に対向するように配置されており、この対向する部位にて端部が支持されて、壁部３の浴室外側となる脱衣室側の壁面をなす壁面材２１が設けられている。
【００１８】
左側の縦枠１１は、右側の縦枠１２の脱衣室側と同様に額縁３３と接合された、見込み方向に沿う面を有する縦枠壁部１１ｅが、右側の縦枠１２と対向するように設けられており、左の縦枠１１の浴室側においては、縦骨２０の浴室側の部位と対向するように設けられている。また、左の縦枠には、障子５が閉じられたときに、縦框（戸先框）６ｂと対向するとともに長手方向に沿って設けられ、出入口２の内周側に突出して止水する縦止水部１１ａが、障子５の浴室側と脱衣室側とにそれぞれ設けられている。
【００１９】
２つの縦止水部１１ａは、それぞれ戸先框６ｂに当接される樹脂製の縦シール材５１と、縦枠１１から出入口２の内周側に突出するヒレとしての縦突出片１１ｂ及び縦突出片１１ｂの先端に設けられて縦シール材５１が嵌合される嵌合部１１ｃを有する嵌合突部１１ｄと、を有している。２つの縦止水部１１ａが有する嵌合部１１ｃは、互いに対向する側に開放されており、嵌合部１１ｃに嵌合された縦シール材５１は互いに対向する方向に突出するように取り付けられる。すなわち、脱衣室側の嵌合突部１１ｄに設けられた縦シール材５１は浴室側に突出し、浴室側の嵌合突部１１ｄに設けられた縦シール材５１は脱衣室側に突出して、それらの間に位置する障子５の戸先框６ｂにそれぞれ当接される。
【００２０】
下枠１４は、躯体(不図示)に支持されるとともに、図２に示すように、脱衣室側の床材３０から浴室側に設けられた防水パン３５に架け渡され、上面に障子５を案内する下レール１４ａが設けられている。
【００２１】
下枠１４は、躯体上に載置される中空部１４ｂと、中空部１４ｂの脱衣室側の壁部１４ｃの上端からビス孔を介して上方に延出された立上部１４ｄと、立上部１４ｄの上縁から脱衣室側に延出され床材の３０の端部を上から覆う床材覆い部１４ｅと、中空部１４ｂの浴室側の壁部１４ｆの上端から浴室側に延出された部位とを有している。立上部１４ｄは、下レール１４ａ上を移動する障子５の下框６ａと見込み方向に間隔を隔てて設けられており、床材覆い部１４ｅの浴室側の縁部には、立上部１４ｄの上端側を共有して下枠シール材５０が嵌合される下嵌合溝１４ｇが設けられている。
【００２２】
下枠シール材５０は、見付け方向に沿って見付け方向における全域に設けられており、脱衣室側から浴室側に向かってほぼ水平に延出されて障子５に当接される下シール部５０ｂと、下シール部５０ｂより脱衣室側にて上方に立ち上がった水返し部５０ｃと、下シール部５０ｂと水返し部５０ｃとを連結する連結部５０ｄと、連結部５０ｄの下面に設けられ下嵌合溝１４ｇに嵌合される嵌合部５０ａと、を有している。すなわち、下シール部５０ｂと水返し部５０ｃとが連結部５０ｄにて連結されて一体に形成され、下嵌合溝１４ｇに嵌合部５０ａが嵌合されると、連結部５０ｄが床材覆い部１４ｅ上に位置して平坦な面を形成している。下枠シール材５０の連結部５０ｄ及び嵌合部５０ａは、下シール部５０ｂと水返し部５０ｃより硬質な樹脂にて形成されており、図４においては、下枠シール材５０において硬質な部位をグレーにて示している。
【００２３】
本実施形態の浴室建具１は、脱衣室側から見て左側が出入口２をなし、右側が壁部３をなしているので、下枠１４における中空部１４ｂの浴室側の壁部１４ｆの上端から浴室側に延出された部位の形状が、図２、図３に示すように、出入口２側と壁部３側とで相違している。
【００２４】
また、下枠１４は押出成形部材なので、まず断面形状が同一の部材が押出成形された後に、出入口２側と壁部３側とに加工を施して形成されている。押出成形にて形成されて加工が施される前の基材は、中空部１４ｂの浴室側の壁部１４ｆの上端から浴室側に延出された延出部１４ｈと、延出部１４ｈの先端に設けられ防水パン３５に設けられた溝部３５ａに挿入される防水パン係合部１４ｉと、を有している。
【００２５】
延出部１４ｈには、中空部１４ｂの浴室側の壁部１４ｆに近い側にて浴室側が低くなる段部１４ｊが形成されており、段部１４ｊから浴室側に繋がった部位には、見付け方向に沿って設けられ上方に向かって突出されて上端部に、壁部３に設けられて脱衣室側の壁面を形成する壁面材２１が支持される面材支持部１４ｋが形成されている。
【００２６】
面材支持部１４ｋの浴室側には、下方に凹設されて後述する樹脂製のカバー部材１７が嵌合される嵌合溝１４ｌが見付け方向に沿って形成されている。基材は、出入口２側では面材支持部１４ｋが基端から、ほぼ平坦になるように切除され、壁部３側では嵌合溝１４ｌを形成する部位を残して浴室側の部位が切除されて下枠１４が形成されている。そして、出入口２側には、面材支持部１４ｋを切除した切除面を覆うとともに段部１４ｊの脱衣室側と浴室側とを繋ぐ傾斜面を備えたカバー部材１７が嵌合溝１４ｌに嵌合されている。このため、下枠１４の出入口２側は、立上部１４ｄより浴室側の表面が、浴室側に向かって高さが低くなるような傾斜を有している。ここで、カバー部材１７は、出入口２側のみに設けられている。
【００２７】
障子５は、矩形状に框組みされたアルミニウム製の框体６と、框体６の内周側に設けられた透光性を有する面材７とを有している。框体６が有する下框６ａは、下方に開放されている。下框６ａの内部には、レール１４ａに案内されるガイド部材（不図示）と、下框６ａの浴室側に設けられてレール１４ａに当接され浴室側から進入する水をシールする框内シール材５５が設けられている。障子５が閉じられたときに左側の縦枠１１と係合する戸先框６ｂには、左側の縦枠１１に上下方向に沿って設けられた縦シール材５１が戸先框６ｂの全長にわたって当接される。また、障子５が閉じられたときに縦骨２０側に位置する縦框６ｃは、障子５が閉じられたときに互いに対向するとともに互いに引き寄せるように係合する。そして、縦骨２０の脱衣室側の面に上下方向に沿って設けられた縦骨シール材５３が浴室側の障子５の縦框６ｃにその全長にわたって当接される。
【００２８】
そして、左の縦枠１１と下枠１４とは、下枠１４の左側の縁部にシール材５４が設けられ、嵌合溝１４ｌに下枠シール材５０が取り付けられた状態にて、下枠１４の左側の縁が、左側の縦枠１１の縦止水部１１ａより下の縦枠壁部１１ｅに当接されている。また、左側の縦枠１１の縦止水部１１ａ、すなわち、縦突出片１１ｂと嵌合部１１ｃとを有する嵌合突部１１ｄと縦シール材５１の下端が下シール材５０の連結部５０ｄ上に当接させてビスにて固定されている。
【００２９】
本実施形の浴室建具１によれば、下枠１４に設けられた下枠シール材５０は、下シール部５０ｂと、下シール部５０ｂの脱衣室側に設けられる水返し部５０ｃとが連結部５０ｄにて連結されているので、下シール部と水返し部とが別個に形成されている場合より取り付けが容易である。また、下シール部５０ｂと水返し部５０ｃとの間に位置する連結部５０ｄ上に縦止水部１１ａ、すなわち、縦シール材５１と嵌合突部１１ｄが当接されるので、縦止水部１１ａに沿って流れる水を、水返し部５０ｃより浴室側に確実に流すことが可能である。このため、縦枠１１と下枠１４との接合部を、容易にかつより確実にシールすることが可能である。
【００３０】
また、下枠シール材５０の見付け方向の端部が、縦枠１１の縦枠壁部１１ｅに当接されているので、下枠シール材５０と縦枠１１との間をより確実にシールすることが可能である。また、下枠シール材５０は縦止水部１１ａの下にて縦枠１１に当接されているので、縦枠１１と下枠１４との接合部をより確実にシールすることが可能である。
【００３１】
また、縦枠１１に設けられた縦突出片１１ｂにより、縦枠１１と障子５との間から脱衣室側への水の進入を防止するとともに、縦枠１１の縦突出片１１ｂが下枠シール材５０の連結部５０ｄ上に当接されるので、縦枠１１の縦突出片１１ｂの下端からの水の浸入を防止することが可能である。
【００３２】
また、縦枠１１に設けられた縦シール材５１により、縦枠１１と障子５との間から脱衣室間への水の進入をより確実に防止するとともに、縦枠１１の縦シール材５１が下枠シール材５０の連結部５０ｄ上に当接されるので、縦シール材５１の下端からの水の浸入を防止することが可能である。
【００３３】
また、下枠シール材５０の連結部５０ｄの下面に設けられた嵌合部５０ａが、下枠シール材５０の下に位置する下枠１４の下嵌合溝１４ｇに嵌合されて取り付けられているので、下枠１４に設けられた下枠シール材５０が踏まれたとしても、下枠シール材５０が外れることはない。このため、より信頼性の高いシール性を備えた浴室建具１を提供することが可能である。
【００３４】
上記実施形態においては、建具を浴室に用いた例について説明したが、浴室に限るものではない。例えば屋内外の境界部分に設けられる建具の場合には、上記実施形態における浴室側が屋外側となる。
【００３５】
上記実施形態においては、縦止水部１１ａが、縦突出片１１ｂ、嵌合部１１ｃでなる嵌合突部１１ｄと、嵌合部１１ｃに嵌合された縦シール材５１にて構成されている例について説明したが、縦突出片が嵌合部の先端まで延出されており、嵌合部及び縦シール材が設けられていない構成であっても構わない。
【００３６】
また、上記実施形態においては、出入口２を開閉可能な障子５を１枚備えた浴室建具１の例について説明したが、これに限らず、複数枚の障子を備えていても構わない。
【００３７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３８】
１  浴室建具、２  出入口、３  壁部、５  障子、
１０  枠体、１１  縦枠、１１ａ  縦止水部、１１ｂ  縦突出片、１１ｃ  嵌合部、
１１ｄ  嵌合突部、１１ｅ  縦枠壁部、１４  下枠、１４ｇ  下嵌合溝、
５０  下枠シール材、５０ａ  嵌合部、５０ｂ  下シール部、５０ｃ  水返し部、
５０ｄ  連結部、５１  縦シール材
【図１】
0005905249.tif 000002
【図３】
0005905249.tif 000003
【図４】
0005905249.tif 000004
【図５】
0005905249.tif 000005
【図２】
0005905249.tif 000006